【手続補正書】
【提出日】平成16年12月8日(2004.12.8)
【手続補正１】
【補正対象書類名】明細書
【補正対象項目名】発明の名称
【補正方法】変更
【補正の内容】
【発明の名称】内部電源電圧発生回路および内部電圧発生回路
【手続補正２】
【補正対象書類名】明細書
【補正対象項目名】特許請求の範囲
【補正方法】変更
【補正の内容】
【特許請求の範囲】
【請求項１】
内部電源線上の内部電源電圧と基準電圧との差に応じた信号を出力ノードから出力する比較手段、
外部からの外部電源電圧を供給する外部電圧源と前記内部電源線との間に結合され、前記比較手段の出力ノードからの信号に応答して、前記外部電圧源と前記内部電源線との間に電流の流れを生じさせる電流ドライブ素子、および
前記外部電源電圧と前記基準電圧との差に応じて前記比較手段の出力ノードから前記電流ドライブ素子へ与えられる信号の電圧レベルを調整するレベル調整手段を備える、内部電源電圧発生回路。
【請求項２】
前記レベル調整手段は、前記外部電源電圧と前記基準電圧との差が所定値以下となると前記比各手段の出力ノードから前記電流ドライブ素子へ与えられる信号の電圧レベルを前記電流ドライブ素子の電流供給量を増加させるレベルに設定する手段を含む、請求項１記載の内部電源電圧発生回路。
【請求項３】
前記電流ドライブ素子は、前記比較手段の出力ノードからの信号をゲートに受けるｐチャネル絶縁ゲート型電界効果トランジスタを備え、
前記レベル調整手段は、前記外部電源電圧と前記基準電圧との差が所定値以下の電圧レベルとなると前記比較手段の出力ノードから前記ｐチャネル絶縁ゲート型電界効果トランジスタのゲートへ与えられる信号を接地電圧レベルへ駆動する手段を含む、請求項１記載の内部電源電圧発生回路。
【請求項４】
前記電流ドライブ素子は、前記比較手段の出力ノードからの信号をゲートに受けるｐチャネル絶縁ゲート型電界効果トランジスタを備え、
前記レベル調整手段は、前記外部電源電圧と前記基準電圧との差が所定値以下の電圧レベルとなると、前記比較手段の出力ノードから前記ｐチャネル絶縁ゲート型電界効果トランジスタのゲートへ与えられる信号を、前記内部電源電圧と接地電圧との間の所定電圧レベルまで低下させる手段を含む、請求項１記載の内部電源電圧発生回路。
【請求項５】
内部電源線上の内部電源電圧と基準電圧との差に応じた信号を出力する比較手段、
外部からの電源電圧を供給する外部電圧源と前記内部電源線との間に結合され、前記比較手段の出力信号に応答して、前記外部電圧源と前記内部電源線との間に電流の流れを生じさせる電流ドライブ素子、
前記外部電源電圧と前記基準電圧との差に応じた信号を出力するレベル調整手段、および
前記外部電圧源と前記内部電源線との間に前記電流ドライブ素子と並列に結合されかつ前記電流ドライブ素子よりも小さな電流駆動能力を有し、前記レベル調整手段からの出力信号に従って前記外部電圧源と前記内部電源線との間に電流の流れを生じさせる補助ドライブ素子を備える、内部電源電圧発生回路。
【請求項６】
前記レベル調整手段は、前記外部電源電圧と前記基準電圧との差が所定値以下となると前記補助ドライブ素子を導通させる手段を含む、請求項５記載の内部電源電圧発生回路。
【請求項７】
前記補助ドライブ素子は、ｐチャネル絶縁ゲート型電界効果トランジスタを備え、
前記レベル調整手段は、前記外部電源電圧と前記基準電圧つの差が所定値以下の電圧レベルとなると前記ｐチャネル絶縁ゲート型電界効果トランジスタのゲートを接地電圧レベルへ駆動する手段を含む、請求項５記載の内部電源電圧発生回路。
【請求項８】
前記補助ドライブ素子は、ｐチャネル絶縁ゲート型電界効果トランジスタを備え、
前記レベル調整手段は、前記外部電源電圧と前記基準電圧との差が所定値以下となると、前記ｐチャネル絶縁ゲート型電界効果トランジスタのゲートを、前記内部電源電圧と接地電圧との間の中間電圧レベルへ駆動する手段を含む、請求項５記載の内部電源電圧発生回路。
【請求項９】
前記レベル調整手段は、前記内部電源線上の内部電源電圧を使用する内部回路の活性化を示す信号の活性化時活性化される、請求項１または５記載の内部電源電圧発生回路。
【請求項１０】
前記レベル調整手段は、
前記外部電源電圧をゲートに受ける第１の絶縁ゲート型電界効果トランジスタと、前記第１の絶縁ゲート型電界効果トランジスタよりも同一ゲート電圧についての電流供給能力が大きくされかつ前記基準電圧をゲートに受ける第２の絶縁ゲート型電界効果トランジスタとを有し、前記外部電源電圧と前記基準電圧とを比較するための比較段と、
前記比較段へ電流を供給するためのカレントミラー型電流供給段とを含む、請求項１または５記載の内部電源電圧発生回路。
【請求項１１】
前記レベル調整手段は、前記比較段からの比較結果を示す信号を増幅する手段をさらに備える、請求項１０記載の内部電源電圧発生回路。
【請求項１２】
内部ノード上の内部電圧と参照電圧との差に応じた信号を出力する比較回路、
ｐチャネル絶縁ゲート型電界効果トランジスタで構成され、前記内部ノードと前記内部ノードと異なりかつ電源電圧を受ける電源ノードとの間に結合され、前記比較回路の出力信号を制御ゲートに受け、該受けた信号に従って前記内部ノードと前記電源ノードとの間に電流を流す電流ドライブ素子、および
前記電源電圧と比較基準電圧との比較に基づいて前記比較回路の出力信号を前記内部電圧と接地電圧との間の中間電位レベルにプルダウンする手段を含むレベル調整回路を備える、内部電圧発生回路。
【請求項１３】
前記レベル調整回路は、前記電源電圧と前記比較基準電圧との差が所定値以下のときに前記比較回路の出力信号を前記中間電位方向へプルダウンする、請求項１２記載の内部電圧発生回路。
【請求項１４】
前記プルダウン手段は、
前記電源電圧をゲートに受ける第１の絶縁ゲート型電界効果トランジスタと、同一ゲート電圧条件下で前記第１の絶縁ゲート型電界効果トランジスタよりも大きな電流駆動能力を有し、前記比較基準電圧をゲートに受ける第２の絶縁ゲート型電界効果トランジスタを含み、前記電源電圧と前記比較基準電圧とを比較する比較段と、
前記比較段へ電流を供給するカレントミラー型電流供給段を含む、請求項１２記載の内部電圧発生回路。
【手続補正３】
【補正対象書類名】明細書
【補正対象項目名】００４２
【補正方法】変更
【補正の内容】
【００４２】
請求項１１に係る内部電源電圧発生回路は、請求項１０のレベル調整手段が、この比較段からの比較結果を示す信号を増幅する手段をさらに備える。
請求項１２に係る内部電圧発生回路は、内部ノード上の内部電圧と参照電圧との差に応じた信号を出力する比較回路と、ｐチャネル絶縁ゲート型電界効果トランジスタで構成され、内部ノードとこの内部ノードと異なりかつ電源電圧を受ける電源ノードとの間に結合され、比較回路の出力信号を制御ゲートに受けて該受けた信号に従って内部ノードと前記電源ノードとの間に電流を流す電流ドライブ素子と、電源電圧と比較基準電圧との比較に基づいて比較回路の出力信号を内部電圧と接地電圧との間の中間電位レベルにプルダウンする手段を含むレベル調整回路を備える。
請求項１３に係る内部電圧発生回路は、請求項１２のレベル調整回路が、電源電圧と比較基準電圧との差が所定値以下のときに比較回路の出力信号を中間電位方向へプルダウンする。
請求項１４に係る内部電圧発生回路は、請求項１２のプルダウン手段が、電源電圧をゲートに受ける第１の絶縁ゲート型電界効果トランジスタと、同一ゲート電圧条件下で第１の絶縁ゲート型電界効果トランジスタよりも大きな電流駆動能力を有し、比較基準電圧をゲートに受ける第２の絶縁ゲート型電界効果トランジスタを含み、電源電圧と比較基準電圧とを比較する比較段と、この比較段へ電流を供給するカレントミラー型電流供給段を含む。
【手続補正４】
【補正対象書類名】明細書
【補正対象項目名】０１１４
【補正方法】変更
【補正の内容】
【０１１４】
請求項１１に係る発明に従えば、このカレントミラー型増幅器で構成されるレベル調整用比較段の出力信号をさらに増幅しているため、高速で、レベル調整動作を行うことができる。
請求項１２に係る発明に従えば、内部ノードの電圧と参照電圧との差に応じて、ｐチャネル絶縁ゲート型電界効果トランジスタのゲート電圧をドライブしかつ電源電圧と比較基準電圧との差に基づいてこのゲート電圧をさらにプルダウンしており、電源電圧低下時において電流ドライブ素子の電流駆動力が大きくされ、安定に内部電圧を生成することができる。
請求項１３に係る発明に従えば、電源電圧と比較基準電圧との差が所定値以下のときに比較回路の出力信号を中間電位レベルにプルダウンしており、電源電圧の下限領域において比較回路の出力信号が大きく変動するのを防止することができ、内部電圧を電源電圧の広い範囲にわたって安定に生成することができる。
請求項１４に係る発明に従えば、比較基準電圧をゲートに受けるトランジスタの電流駆動能力が大きくされており、ノイズまたはリーク電流により比較基準電圧がふらついても安定に比較動作を行ってレベル調整を行うことができる。